(57)【特許請求の範囲】
【請求項１】
シャシフレ−ムより立設したタンクフレ−ムと、タンクフレ−ムに固定された中空の円筒本体と、円筒本体内にスライド板にガイドされて配設したスライドベルトと、円筒本体内にスライド板とスライドベルトとで区画した粉粒体室と空気室とを備え、上記空気室からスライドベルトに穿設した孔を介して噴出する空気で粉粒体を流動化して、粉粒体を円筒本体外に排出するようにした粉粒体運搬車のタンクにおいて、上記スライド板を傾斜片とこの傾斜片の下部に一体に連設した垂直片とで構成するとともに当該垂直片を上記タンクフレームと同一延長線上に起立させ、更に前記スライドベルトの幅をタンクフレ−ム間の幅と略同一にしてスライド板の垂直片でガイドするとともにスライドベルトの下側を支持部材で支持するようにしたことを特徴とする粉粒体運搬車のタンク構造。
【請求項２】
前記スライド板は、一枚板で成形されていることを特徴とする請求項１に記載の粉粒体運搬車のタンク構造。
【請求項３】
前記支持部材は、上壁に穿孔を有する断面コ字状にしたことを特徴とする請求項１に記載の粉粒体運搬車のタンク構造。
【発明の詳細な説明】
【０００１】
【発明の属する技術分野】
この発明は粉粒体運搬車の使用に好適なタンク構造に関するものである。
【０００２】
【従来の技術】
例えば、従来、粉粒体運搬車のタンク構造は、図３に示すように、中空な円筒本体１からなり、本体１の底面は斜め方向に傾斜すると共にタンクフレ−ム２を介して運搬車のシャシフレ−ム３に固定されている。本体１内には、底面に沿って傾斜する幅ｅなるスライドベルト１１が配設され、このスライドベルト１１と直行する方向に傾斜する左右に幅ｆに亘ってスライド板Ａ１２、Ｂ１３が設けられ、スライド板Ａ１２は、粉粒体圧（荷重）を受け、それをタンクフレ−ム２に伝え、スライド板Ｂ１３は、スライドベルト１１とスライド板Ａ１２との隙間を埋めるとともに、スライドベルト１１をガイドするようになっており、これらのスライド板Ａ１２、Ｂ１３とスライドベルト１１とにより本体１内は粉粒体の入る粉粒体室８と空気室９とに区画されている。そして、これらのスライド板Ａ１２、Ｂ１３上に充填された粉粒体は、スライド板Ａ１２、Ｂ１３の傾斜に案内されて、スライドベルト１１上に滑り落ちるようになっている。支持部材１４は、Ｔ字状した部材で、その上に布製のスライドベルト１１が設けてあり、その目地より圧縮空気が供給され、噴出した空気でスライドベルト１１上の粉粒体が流動化して、スライドベルト１１上を滑り落ちて、本体中央部に集められるとともに本体１内が加圧され、この空気圧で粉粒体を図示しないパイプ等を介して外部に排出するようになっている。
【０００３】
【発明が解決しようとする課題】
ところで、上記従来のタンク構造では、スライドベルトの幅が狭く、スライド板の幅が広いので、粉粒体を入れる粉粒体室の容積を余り大きくできず、タンクの全容積に対する粉粒体室の割合が小さくなり、無駄なスペ−スがある。更に、スライド板を強度上の理由からスライド板Ａ、Ｂの２枚に分けており、このため、これらのスライド板を接合する接合長が長く、製作に時間と手間が掛かり、コストダウンが図れないという問題があった。
【０００４】
そこで、この発明は、スライドベルトとスライド板の幅を変更することにより、タンクの全容積に対する粉粒体室の割合を増大するとともに、タンクの軽量化、コストダウンを図れる粉粒体のタンク構造を提供することである。
【０００５】
【課題を解決するための手段】
上記の目的を達成するため、第１の発明は、シャシフレ−ムより立設したタンクフレ−ムと、タンクフレ−ムに固定された中空の円筒本体と、円筒本体内にスライド板にガイドされて配設したスライドベルトと、円筒本体内にスライド板とスライドベルトとで区画した粉粒体室と空気室とを備え、上記空気室からスライドベルトに穿設した孔を介して噴出する空気で粉粒体を流動化して、粉粒体を円筒本体外に排出するようにした粉粒体運搬車のタンクにおいて、上記スライド板を傾斜片とこの傾斜片の下部に一体に連設した垂直片とで構成するとともに当該垂直片を上記タンクフレームと同一延長線上に起立させ、更に前記スライドベルトの幅をタンクフレ−ム間の幅と略同一にしてスライド板の垂直片でガイドするとともにスライドベルトの下側を支持部材で支持するようにしたことを特徴とするものである。
【０００６】
第２の発明では、前記スライド板は、一枚板で成形されている。
【０００７】
第３の発明では、前記支持部材を、上壁に穿孔を有する断面コ字状にしたことを特徴とする。
【０００８】
以下、本発明の実施の形態を図１，図２に基づいて説明するが、本発明の紛粒体運搬車のタンク構造の基本構造は図３に示すものと同じである。即ち、紛粒体運搬車のタンクは、シャシフレ−ム３より立設したタンクフレ−ム２と、タンクフレ−ム２に固定された中空の円筒本体１と、円筒本体１内にスライド板６にガイドされて配設したスライドベルト５と、円筒本体１内にスライド板６とスライドベルト５とで区画した粉粒体室８と空気室９とを備え、上記空気室９からスライドベルト５に穿設した孔を介して噴出する空気で粉粒体を流動化して、粉粒体を円筒本体１外に排出するようにするものである。そして、本発明では、上記スライド板６を傾斜片とこの傾斜片の下部に一体に連設した垂直片とで構成するとともに当該垂直片を上記タンクフレーム２と同一延長線上に起立させ、更に前記スライドベルト５の幅Eをタンクフレ−ム２間の幅と略同一にしてスライド板の垂直片でガイドするとともにスライドベルト５の下側を支持部材７で支持するようにしている。
【０００９】
タンクの構造は、図２に示すように、本体１内部には、底面に沿って傾斜する幅Ｅなるスライドベルト５が配設され、このスライドベルト５と直行する方向に傾斜する左右に幅Ｆなるスライド板６が設けられている。
【００１０】
スライドベルト５には図示しない孔が多数穿孔してあり、タンクフレ−ム２間と略同一の幅Ｅを有し、左右のスライド板６にガイドされるとともにその下側を支持部材７で支持されて本体１内に配設されている。
【００１１】
支持部材７は、断面コ字状、即ち、ミゾ形の形状をした鋼材からなりスライドベルト５を支持し、その平面側上壁には図示しない孔が穿孔してあり、スライドベルト５を支持する部分の孔より空気が噴出するようにしてある。
【００１２】
スライドベルト５の幅Ｅを図３に示す従来のスライドベルトの幅ｅより広くする（Ｅ＞ｅ）ことで、スライド板６は全体に下方に移動でき、このため、本体１内とスライドベルト５、スライド板６により区画される粉粒体室８の容積が大きくなる。
【００１３】
また、スライド板６の幅Ｆは、図３に示す従来のスライド板の幅ｆより小さく（Ｆ＜ｆ）なり、その分重量も軽くなり、スライド板６で受ける粉粒体の荷重も小さく、強度的にも有利になり、一枚板にすることができ、しかも、その荷重を直接タンクフレ−ム２に伝えることができる。
【００１４】
スライド板６上に充填された粉粒体はスライド板６の傾斜に案内されて、スライドベルト５上に滑り落ちるようになっている。
【００１５】
スライドベルト５と本体１の下面とで形成される空気室９に圧縮空気が供給されると、スライドベルト５に穿設した多数の孔から空気が噴出して、噴出した空気でスライドベルト５上の粉粒体が流動化して、本体１中央に集められるとともに本体１内が加圧され、この空気圧で粉粒体を図示しないパイプ等を介して外部に排出するようになっている。
【００１６】
このように、スライドベルト５の幅Ｅをタンクフレ−ム２間と略同一の幅にして、スライド板６を全体に下方に移動させて、スライドベルト５をガイドし、支持部材で支持するように配設したので、スライド板６とスライドベルト５とにより区画される粉粒体室８の容積が大きくなり、本体１内の積載容量が増大し、また、スライド板６の幅Ｆも小さくなり、その分重量も軽くなって、タンクの重量が軽量化できる。さらに、スライド板６で受ける粉粒体の荷重も小さく、その荷重を直接タンクフレ−ム２に伝えることができ、強度的にも有利になって、スライド板を一枚板にすることができ、しかも、スライド板６を接合する接合長も短くなって、これに要する加工工数が軽減でき、コストダンウンを図ることができる。
【００１７】
【発明の効果】
第１の発明によれば、スライドベルトの幅をタンクフレ−ム間の幅と略同一にして、スライド板を全体に下方に移動させて、スライドベルトをガイドするように配設したので、スライド板とスライドベルトとにより区画される粉粒体室の容積が大きくなってタンクの全容積容に対する粉粒体室が増大し、輸送コストの軽減が図れる。また、スライド板の幅は小さくなり、その分重量も軽くなり、タンクの重量を軽量化できる。さらに、スライド板の垂直片をタンクフレームと同一延長線状に起立させたので、スライド板で受ける粉粒体の荷重を直接タンクフレ−ムに伝えることができ、強度的にも有利となり、耐久性の向上に役立てることができる。
【００１８】
第２の発明によれば、スライド板は、一枚板で成形したので、スライド板を接合する接合長が短くなって、これに要する加工工数が軽減され、コストダウンを図ることができる。
【００１９】
第３の発明によれば、支持部材は、上壁に穿孔を有する断面コ字状の形状にしたので、支持部材の上壁で支持された部分のスライドベルトの孔からも空気が供給され、粉粒体の流動化が均一に行えることができる。
【図面の簡単な説明】
【図１】この発明の実施形態を示す粉粒体運搬車のタンクの側面図である。
【図２】同じくタンクのＡ−Ａ断面の構造図である。
【図３】従来例を示す粉粒体運搬車のタンクの断面構造図である。
【符号の説明】
１  本体
２  タンクフレ−ム
３  シャシフレ−ム
５  スライドベルト
６  スライド板
７  支持部材
８  粉粒体室
９  空気室
１１  スライドベルト
１２  スライド板Ａ
１３  スライド板Ｂ
１４  支持部材
Ｅ  スライドベルトの幅
Ｆ  スライド板の幅
ｅ  従来のスライドベルトの幅
ｆ  従来のスライド板の幅
【図１】
0003682937.tif 000002
【図２】
0003682937.tif 000003
【図３】
0003682937.tif 000004